(57)【要約】【課題】メーカー純正品でない消耗品の使用時におけるトラブルの発生を抑えること。【解決手段】プリンタ101のコントローラ102が、プリンタ101に装着されている消耗品（トナーカートリッジ215）がメーカー純正品であるか否かを判定し（S402）、メーカー純正品でないと判定された場合（S402でNo）、メディアセンサ225による検知機能の設定状態（オン／オフ）に基づいて、検知機能の設定に関する処理を実行する（S403〜S406）。検知機能がオフの場合（S403でNo）、検知機能をオンに促す通知を行う（S404）。また、検知機能がオンの場合（S403でYes）、検知機能のオフへの設定指示があった場合には（S405でYes）、検知機能のオンのまま使用するように促す通知を行う（S406）。【選択図】図４
2019030986.tif 000002
【特許請求の範囲】
【請求項１】
収容部から給紙される記録媒体の種類を検知部により検知し、該検知の結果に基づいて前記記録媒体に対する画像形成を制御する画像形成装置であって、
前記検知部による検知機能を有効又は無効に設定する設定手段と、
前記画像形成装置に装着されている消耗品がメーカー純正品であるか否かを判定する判定手段と、
前記判定手段により前記画像形成装置に装着されている消耗品がメーカー純正品でないと判定された場合、前記設定手段による前記検知機能の設定状態に基づいて、前記検知機能の設定に関する処理を実行する制御手段と、
を有することを特徴とする画像形成装置。
【請求項２】
前記制御手段は、前記検知機能が無効に設定されている場合、前記検知機能を有効に設定変更するように促す通知を行うことを特徴とする請求項１に記載の画像形成装置。
【請求項３】
前記制御手段は、前記検知機能が有効に設定されている場合、前記検知機能を無効に設定変更する指示があった場合には、前記検知機能を有効のままで使用するように促す通知を行うことを特徴とする請求項１又は２に記載の画像形成装置。
【請求項４】
前記制御手段は、前記検知機能が無効に設定されている場合、前記検知機能を有効に設定変更することを特徴とする請求項１に記載の画像形成装置。
【請求項５】
前記制御手段は、前記検知機能が有効に設定されている場合、前記検知機能を無効に設定変更することを禁止することを特徴とする請求項１又は４に記載の画像形成装置。
【請求項６】
前記判定手段は、前記消耗品が備える記憶部に記憶される情報に基づいて、装着されている消耗品がメーカー純正品であるか否かを判定することを特徴とする請求項１〜５のいずれか１項に記載の画像形成装置。
【請求項７】
収容部から給紙される記録媒体の種類を検知部により検知し、該検知の結果に基づいて前記記録媒体に対する画像形成を制御する画像形成装置の制御方法であって、
前記画像形成装置に装着されている消耗品がメーカー純正品であるか否かを判定する判定ステップと、
前記判定ステップで前記画像形成装置に装着されている消耗品がメーカー純正品でないと判定された場合、前記検知部による検知機能を有効又は無効に設定する設定手段による前記検知機能の設定状態に基づいて、前記検知機能の設定に関する処理を実行する制御ステップと、
を有することを特徴とする画像形成装置の制御方法。
【請求項８】
コンピュータを、請求項１〜６のいずれか１項に記載の手段として機能させるためのプログラム。
【発明の詳細な説明】
【技術分野】
【０００１】
本発明は、画像形成装置、画像形成装置の制御方法、及びプログラムに関するものである。
【背景技術】
【０００２】
画像形成装置の消耗品であるトナーカートリッジが備える記憶部の情報を基に、画像形成装置に装着されたトナーカートリッジがメーカー純正品（以下「純正品」）か否かを判別する機能を備える画像形成装置（以下「プリンタ」）がある。
【０００３】
また、特許文献１には、トナーカートリッジが純正品か否かを判別し、純正品ではないメーカー非純正品（以下「非純正品」）の場合、定着不良に起因する印刷不良を防止するため、ユーザによる用紙種類設定を制限する技術が提案されている。
【先行技術文献】
【特許文献】
【０００４】
【特許文献１】特許第５３５７９４４号公報
【発明の概要】
【発明が解決しようとする課題】
【０００５】
しかし、特許文献１の技術は、プリンタに設定可能な記録媒体（以下「用紙」）の種類を制限するものであり、ユーザが設定とは異なる種類の用紙を誤って給紙カセットに装填した場合まで想定されたものではない。このため、ユーザが用紙の種類を誤って給紙カセットに装填してしまった場合、プリンタの用紙種類設定とユーザが装填した用紙種類の不一致が生じてしまう。
【０００６】
例えばプリンタの用紙種類が「普通紙」に設定されており、ユーザが、この設定とは異なる用紙種類の「厚紙」を誤って給紙カセットに装填してしまった場合について説明する。またプリンタの「普通紙」に対するの定着温度が130〜140℃、「厚紙」に対する定着温度が160〜170℃である場合について説明する。
【０００７】
この場合、プリンタは、設定された「普通紙」の定着温度130〜140℃となるように定着温度を制御する。これに対し、実際に搬送される「厚紙」の定着温度は160〜170℃であるため、実際に搬送される「厚紙」に対する定着温度が不足することとなる。
【０００８】
トナーカートリッジが純正品である場合、前述のようなプリンタの用紙種類設定とユーザが装填した用紙種類の不一致に起因する不具合を、メーカー内部で検証可能である。
具体的には、メーカーでは、搬送する用紙種類の正規の定着温度や搬送速度に対し、誤った定着温度や搬送速度によって、プリンタの寿命（印刷保証枚数）まで印刷耐久試験を行うことが可能である。その結果、プリンタの用紙種類設定とユーザが装填した用紙種類の不一致があったとしても、プリンタの故障には至らないことを検証することが可能である。
【０００９】
一方、市場には不特定多数の非純正品トナーカートリッジが出回っている。そのような不特定多数の非純正品の全てに対し、前述したようなメーカー内部での検証を行うことは困難である。つまり、非純正品トナーカートリッジに対しては、プリンタの用紙種類設定とユーザが装填した用紙種類の不一致があったとしても、プリンタの故障には至らないことを検証することは困難である。よって、非純正品を使用した結果、プリンタの定着器における定着不良に起因する印刷不良が発生し、このような印刷不良が多発するとプリンタの故障を招く可能性もある。このような事態は、トナーカートリッジに限定されるものではなく、他の消耗品でも同様に発生する可能性がある。
【００１０】
本発明は、上記の課題を解決するためになされたものである。本発明の目的は、メーカー純正品でない消耗品の使用時におけるトラブルの発生を抑える仕組みを提供することである。
【課題を解決するための手段】
【００１１】
本発明は、収容部から給紙される記録媒体の種類を検知部により検知し、該検知の結果に基づいて前記記録媒体に対する画像形成を制御する画像形成装置であって、前記検知部による検知機能を有効又は無効に設定する設定手段と、前記画像形成装置に装着されている消耗品がメーカー純正品であるか否かを判定する判定手段と、前記判定手段により前記画像形成装置に装着されている消耗品がメーカー純正品でないと判定された場合、前記設定手段による前記検知機能の設定状態に基づいて、前記検知機能の設定に関する処理を実行する制御手段と、を有することを特徴とする。
【発明の効果】
【００１２】
本発明によれば、メーカー純正品でない消耗品の使用時におけるトラブルの発生を抑えることができる
【図面の簡単な説明】
【００１３】
【図１】本実施例を示す画像形成装置の一例を示すブロック図
【図２】本実施例のプリンタが備えるプリントエンジンの構成の一例を示す図
【図３】本実施例のプリンタで使用される用紙種類と定着温度の対応を例示する図
【図４】実施例１のプリンタのトナーカートリッジの検知処理のフローチャート
【図５】実施例１において操作部に表示される所定メッセージの一例を示す図
【図６】実施例１において操作部に表示される所定メッセージの一例を示す図
【図７】実施例２のプリンタのトナーカートリッジの検知処理のフローチャート
【図８】実施例３のプリンタのトナーカートリッジの検知処理のフローチャート
【図９】実施例３において操作部に表示される所定メッセージの一例を示す図
【発明を実施するための形態】
【００１４】
以下、本発明を実施するための形態について図面を用いて説明する。ただし、この実施形態に記載されている図面はあくまで例示であり、この発明の範囲をそれらにのみ限定する主旨のものではない。
【実施例１】
【００１５】
図１は、本発明の一実施例を示す画像形成装置の一例を示すブロック図である。
図１において、プリンタ101は、本実施例の画像形成装置である。
【００１６】
プリンタ101において、ＣＰＵ103を含むコントローラ102は、プリンタ101全体の動作を制御する。ＣＰＵ103は、ＲＯＭ104に記憶された制御プログラムに従い、プリンタ101の各種動作を制御する。本実施例におけるＲＯＭ104は、フラッシュメモリであるものとし、プリンタ101の各種設定情報をＲＯＭ104に記憶可能である。
【００１７】
ＲＡＭ105は、ＣＰＵ103の主メモリ、ワークエリア等の一時記憶領域として用いられる。ＨＤＤ（ハードディスクドライブ）106は、画像データや各種プログラムを記憶する。なお、ＨＤＤの代わりに又は併用して、ソリッドステートドライブ（ＳＳＤ）等の画の記憶装置を備えていてもよい。
【００１８】
操作部Ｉ／Ｆ107は、操作部110とコントローラ102を接続する。操作部110は、表示パネル（図示省略）やキー（図示省略）などを備え、ユーザによる操作／入力／指示を受け付けることが可能である。
【００１９】
エンジンＩ／Ｆ108は、プリントエンジン111とコントローラ102を接続する。プリントエンジン111で印刷される画像データは、エンジンＩ／Ｆ108を介してコントローラ102から転送され、プリントエンジン111により用紙上に印刷される。
【００２０】
ネットワークＩ／Ｆ109は、コントローラ102をネットワークに接続する。プリンタ101は、ネットワークＩ／Ｆ109を介して、外部装置と画像データや各種情報を送受信することができる。本実施例では、プリンタ101は、外部装置として不図示のＰＣ（パーソナルコンピュータ）から印刷ジョブを受信し、前記印刷ジョブに基づき、プリントエンジン111によって所定の画像を用紙上に印刷することが可能である。
【００２１】
図２は、プリンタ101が備えるプリントエンジン111の構成の一例を示す図である。なお、説明の簡便化のため、プリンタ101はモノクロプリンタであるものとして以降の説明を行うが、本発明はモノクロプリンタに限定されるものではなく、カラープリンタにも適用可能である。
【００２２】
プリントエンジン111は、トナーカートリッジ215、給紙カセット201、カセット給紙ローラ202、転写ベルト駆動ローラ205、転写ベルト206、転写ローラ211、定着ユニット223、排紙トレイ224、エンジンコントローラ226等を有する。トナーカートリッジ215は、光学ユニット219、感光ドラム207（潜像担持体）、現像装置（図示省略）、メモリタグ216等を有する。
【００２３】
プリントエンジン111は、電子写真プロセスを用い、用紙の上に例えばブラック色のトナー画像を転写する。さらにプリントエンジン111は、定着ユニット223の定着ローラによって前記用紙を所定温度で加熱すると共に加圧することにより、トナー画像を用紙に定着させる。以下、詳細に説明する。
【００２４】
光学ユニット219は、感光ドラム207の表面をレーザービームによって露光走査して潜像を形成するよう構成されている。潜像の形成において、搬送される用紙上の予め決まった位置から画像が転写されるよう同期をとって、レーザービーム走査が制御される。感光ドラム207の表面に形成された潜像は、ブラック色のトナーカートリッジ215に備えられた現像装置（図示省略）によってトナー画像として可視化される。前記トナー画像は、記録媒体収容部としての給紙カセット201から給紙される用紙に転写される。前記トナー画像が転写された用紙は、定着ユニット223においてトナー画像の用紙への定着処理がなされた後、排紙トレイ224上に排出される。
【００２５】
また、プリントエンジン111は、各種モータを備えている。給紙モータ（図示省略）は、用紙を給紙及び搬送するためのものである。転写ベルト駆動モータ（図示省略）は、転写ベルト駆動ローラ205を駆動するためのものである。感光ドラム駆動モータ（図示省略）は、感光ドラム207及び転写ローラ211を駆動するためのものである。定着駆動モータ（図示省略）は、定着ユニット223が備える定着ローラを駆動するためのものである。
【００２６】
また、プリントエンジン111は、メディアセンサ225を有する。メディアセンサ225は、給紙カセット201から搬送される用紙の用紙種類を検知するための情報を得る用紙種類検知部である。メディアセンサ225は、給紙カセット201から給紙される用紙の搬送経路上に設けられている。図２に示す例では、メディアセンサ225の配置は、給紙カセット201近傍の搬送経路である。従ってメディアセンサ225は、給紙カセット201から給紙搬送された用紙の用紙種類を検知するための情報を得ることが可能である。図示は省略するがプリントエンジン111は、第２の給紙カセットや手差しトレイを備え、メディアセンサ225が給紙カセット201、第２の給紙カセット及び手差しトレイ共通の搬送経路上に配置される構成であってもよい。
【００２７】
本実施例では、メディアセンサ225は、例えば、用紙種類を検知するための情報として、搬送された用紙に対して照射した特定光の光透過率を用いるものとする。具体的にはメディアセンサ225は、前記特定光の用紙透過後の光量を測定し、前記用紙透過後光量と前記特定光の光量から当該用紙の光透過率を算出し、前記光透過率からそれに対応する当該用紙の坪量（単位面積当たりの重量）を算出する。この用紙坪量に基づき、メディアセンサ225は、用紙の用紙種類を検知することが可能である。
【００２８】
本実施例の用紙種類検知部としてのメディアセンサ225は、前述したように用紙種類を検知するために光透過率を用いるものである。しかし、本発明に適用可能な用紙種類検知部は、これに限定されるものではなく、他の方法を用いるものでもよい。例えば、用紙種類検知部には、光透過率の他に、用紙に対して照射した特定光の反射光を測定する方法、用紙表面の粗さを測定する方法、用紙の光沢度を測定する方法など多種多様な用法を用いるものが存在する。これらの用紙種類検知部を用いる構成でもよい。また、光透過率も含め、これらの用紙種類検知部の複数の組み合わせによって、用紙種類検知機能を実現する構成であってもよい。
【００２９】
プリンタ101は、このようなメディアセンサ225により画像形成される記録媒体の種類に係る情報を検知し、記録媒体に対する画像形成を最適に制御する。以下、その具体例について図３を用いて説明する。
【００３０】
図３は、プリンタ101において使用される用紙種類と定着温度の対応を例示する図である。
図３に示す例では、用紙種類が「普通紙」の場合、プリンタ101の定着ユニット223の定着温度は130〜140℃に制御される。一方、用紙種類が「厚紙」の場合、前記定着温度は160〜170℃に制御される。
【００３１】
「厚紙」の定着温度が160〜170℃であることから明らかなように、一般に「厚紙」に印刷を行う場合、「普通紙」の定着温度130〜140℃よりも高い定着温度が必要とされる。実際に搬送される用紙が「厚紙」で、定着温度が160〜170℃よりも低い状況では、「厚紙」に対する定着温度が不足し、定着不良が発生してしまう可能性がある。
【００３２】
前述したように、プリンタ101では、メディアセンサ225により、用紙種類を検知する。そして、図３に示す定着温度となるように、プリンタ101の定着ユニット223が、メディアセンサ225の用紙種類検知結果に応じて定着温度を制御する。
【００３３】
本実施例では説明の簡便化のため、用紙種類が「普通紙」、「厚紙」の場合について説明するが、用紙種類はそれらに限定されるものではない。「普通紙」、「厚紙」に加え、再生紙やコート紙など他の種類の用紙を使用可能であってもよい。この場合、前記他の種類の用紙の各々に最適な定着温度が決まっているものとする。
【００３４】
また、トナーカートリッジ215は、メモリタグ216をトナーカートリッジ215自身に備えている。メモリタグ216は所定の記憶媒体から構成された記憶部であり、トナーカートリッジ215に関連する各種情報が格納されている。なお、トナーカートリッジ215がメーカー純正品である場合、そのメモリタグ216には、そのトナーカートリッジがメーカー純正品であることを示す情報が予めトナーカートリッジ出荷時に格納されている。このような仕組みを用い、プリンタ101では、プリンタ101に装着されているトナーカートリッジがメーカー純正品か否かを判定することができる。
【００３５】
前述したプリントエンジン111の動作は、図１のエンジンＩ／Ｆ108を介してコントローラ102から受信した指示及び画像データに従って、エンジンコントローラ226により制御される。また、前述した各種センサはエンジンコントローラ226に接続されており、エンジンコントローラ226によって検知／判定された各種情報が、エンジンＩ／Ｆ108を介してコントローラ102へ通知されるものとする。
【００３６】
また、図示は省略するが、本実施例におけるエンジンコントローラ226はＣＰＵ、ＲＯＭ、ＲＡＭを備えており、ＣＰＵがＲＯＭ、ＲＡＭに格納されたプログラム及びデータに基づいて、プリントエンジン111の各種動作を制御する。また、エンジンコントローラ226は、図示しないメモリタグ読取部を備えており、トナーカートリッジ215が備えるメモリタグ216に格納されている情報を取得することが可能であるものとする。
【００３７】
また、プリンタ101は、ユーザによってメディアセンサ225による用紙種類検知機能を有効にするか無効にするかを設定可能な構成である。具体的にはユーザは、操作部110を適宜操作し、用紙種類検知機能を有効（以下「オン」）あるいは無効（以下「オフ」）に設定する。本実施例では、給紙カセット201に対する用紙種類検知機能のオン／オフを設定可能であるものとする。用紙種類検知機能のオン／オフの設定情報は、ＲＯＭ104に格納される。
【００３８】
以下、図４〜図７を用いて、実施例１のプリンタ101の処理について説明する。
図４は、実施例１のプリンタ101のトナーカートリッジの検知処理の一例を示すフローチャートである。なお、このフローチャートに示す処理は、ＣＰＵ103がＲＯＭ104に記憶された制御プログラムを実行することにより実現される。このフローチャートの処理は、例えばユーザによるトナーカートリッジ交換の際、プリンタ101の電源オン処理、スリープ（省電力状態）復帰処理等において実行されるものとする。
【００３９】
図５、図６は、実施例１において操作部110に表示される所定メッセージの一例を示す図である。
【００４０】
図４の処理が開始されると、まずS401において、コントローラ102のＣＰＵ103は、プリントエンジン111に対するトナーカートリッジ215の装着を検知したか否かを判定する。なお、トナーカートリッジ215の装着検知は、例えば、プリントエンジン111に対するトナーカートリッジ215のメカ的な装着状態をエンジンコントローラ226が検知することによって行われるものとするが、他の方法でもよい。なお、エンジンコントローラ226は、トナーカートリッジ215が装着された場合、トナーカートリッジ215が備えるメモリタグ216に格納されている各種情報を取得する。そしてエンジンコントローラ226は、トナーカートリッジ215の装着を検知したことを、エンジンＩ／Ｆ108を介してコントローラ102に通知する。この通知により、コントローラ102のＣＰＵ103は、トナーカートリッジ215の装着を検知することができる。
【００４１】
上記S401において、ＣＰＵ103は、トナーカートリッジ215の装着を検知していないと判定した場合（S401でNoの場合）、S401においてトナーカートリッジ215の装着待ち状態となる。
【００４２】
一方、上記S401において、ＣＰＵ103は、トナーカートリッジ215の装着を検知したと判定した場合（S401でYesの場合）、S402に処理を進める。
【００４３】
S402において、ＣＰＵ103は、装着を検知したトナーカートリッジ215がメーカー純正品であるか否かを判定する。具体的には、ＣＰＵ103は、エンジンＩ／Ｆ108を介してエンジンコントローラ226に対して所定のコマンドを発行する。このコマンドを受けたエンジンコントローラ226は、前述したトナーカートリッジ215の装着検知においてメモリタグ216から取得した各種情報の中から、トナーカートリッジ215が純正品であることを示す情報を抽出し、コントローラ102に返送する。ＣＰＵ103は、この情報からプリントエンジン111に装着されたトナーカートリッジ215が純正品であるか否かを判定する。
【００４４】
トナーカートリッジ215が純正品であるか否かの判定は、前述したようにメモリタグ216に格納されているトナーカートリッジ215が純正品であることを示す情報に基づいて行われる。具体的には、トナーカートリッジ215が純正品の場合、予めトナーカートリッジ出荷時に、メモリタグ216の所定アドレスに、純正品であることを示す既定のデータが格納されている。ＣＰＵ103は、エンジンコントローラ226が抽出し、コントローラ102に返送した前記所定アドレスのデータが、前記純正品であることを示す既定のデータと一致するか否かを判定する。エンジンコントローラ226から返送された前記データが、前記既定のデータと一致する場合、ＣＰＵ103は、プリントエンジン111に装着されたトナーカートリッジ215が純正品であると判定する。逆にエンジンコントローラ226から返送された前記データが、前記既定のデータと一致しない場合やエンジンコントローラ226からデータの返送がない場合、ＣＰＵ103は、トナーカートリッジ215が非純正品であると判定する。
【００４５】
上記S402において、ＣＰＵ103は、プリントエンジン111に装着されたトナーカートリッジ215が純正品であると判定した場合（S402でYesの場合）、トナーカートリッジの検知処理は終了となり、後述のS403以降の処理は実行されない。
【００４６】
一方、上記S402において、ＣＰＵ103は、プリントエンジン111に装着されたトナーカートリッジ215が純正品でない（非純正品）と判定した場合（S402でNoの場合）、S403に処理を進める。
【００４７】
S403において、ＣＰＵ103は、ＲＯＭ104に格納されている用紙種類検知機能オン／オフの設定情報を基に、用紙種類検知機能の設定がオンかオフかを判定する。
【００４８】
上記S403において、ＣＰＵ103は、用紙種類検知機能の設定がオフであると判定した場合（S403でNoの場合）、S404に処理を進める。
S404において、ＣＰＵ103は、操作部110の表示パネル（図示省略）に用紙種類検知機能がオフ設定であることを通知するメッセージを表示する。このメッセージの一例を図５に示す。
【００４９】
図５に示すような、「用紙種類検知機能がオフです。」というメッセージによって、ユーザに対し、プリンタ101の用紙種類検知機能がオフ設定になっていることが通知可能となる。用紙種類検知機能オフ設定の通知とともに、ユーザに対し、用紙種類検知機能をオンに設定するよう促すメッセージを表示してもよい。図５では、「用紙種類検知機能をオンにすることを推奨します。」というメッセージによって、ユーザに対し、プリンタ101の用紙種類検知機能をオンに設定するよう促すことが可能となる。
S404の処理の後、ＣＰＵ103は、本フローチャートの処理を終了する。
【００５０】
一方、上記S403において、ＣＰＵ103は、用紙種類検知機能の設定がオンであると判定した場合（S403でYesの場合）、S405に処理を進める。
S405において、ＣＰＵ103は、ユーザによる用紙種類検知機能のオフ設定指示があるか否かを判定する。具体的には、ＣＰＵ103は、操作部110においてユーザによる用紙種類検知機能をオフ設定に指示する所定の入力があるか否かを判定する。ＣＰＵ103は、ユーザによる用紙種類検知機能のオフ設定指示がないと判定した場合（S405でNoの場合）、S405において前記所定の入力の監視を継続する。
【００５１】
一方、ＣＰＵ103は、ユーザによる用紙種類検知機能のオフ設定指示があった（オフ設定指示を検出した）と判定した場合（S405でYesの場合）、S406に処理を進める。
S406において、ＣＰＵ103は、操作部110の表示パネル（図示省略）に、ユーザに対して用紙種類検知機能のオン設定継続（用紙種類検知機能をオン設定のまま使用すること）を推奨するメッセージを表示する。前記メッセージの一例を図６に示す。
【００５２】
図６に示すような、「用紙種類検知機能オンのままでお使い頂くことを推奨します。」というメッセージによって、ユーザに対し、用紙種類検知機能のオン設定継続を推奨することが可能となる。換言すると、用紙種類検知機能オン設定のプリンタ101に対し、ユーザが用紙種類検知機能をオフに変更しようとした場合、ユーザに対し、用紙種類検知機能をオフに変更しないように促すことが可能となる。
S406の処理の後、ＣＰＵ103は、本フローチャートの処理を終了する。
【００５３】
以上の処理により、プリントエンジン111に装着されたトナーカートリッジ215が非純正品であり、用紙種類検知機能がオフ設定の場合、ユーザに対して、用紙種類検知機能がオフであることを通知することが可能となる。またトナーカートリッジ215が非純正品であり、用紙種類検知機能がオン設定の場合、用紙種類検知機能をオフに変更しようとしたユーザに対して、用紙種類検知機能をオフに変更しないように促すことが可能となる。従って、非純正品のトナーカートリッジを使用しているユーザに対し、オフになっている用紙種類検知機能をオンにして使用することを促したり、オンになっている用紙種類検知機能をオンのまま使用することを促したりすることが可能となる。これらにより、非純正品のトナーカートリッジを使用しているユーザに対し、用紙種類検知機能オンでプリンタ101を使用するよう注意喚起することが可能となる。そして印刷時にメディアセンサ225による用紙種類検知を実行することにより、プリンタ101の用紙種類設定とユーザが装填した用紙種類の不一致を防止することが可能となる。以下、具体的に説明する。
【００５４】
例えば、用紙種類設定「普通紙」のプリンタ101に対し、ユーザが誤って「厚紙」を給紙カセット201に装填してしまった場合について説明する。
前述の注意喚起によって、用紙種類検知機能オンに設定されたプリンタ101は、印刷時にメディアセンサ225による用紙種類検知を行う。そしてメディアセンサ225は、給紙カセット201からメディアセンサ225まで搬送された用紙の種類が「厚紙」であることを検知する。そしてエンジンコントローラ226は、「厚紙」に対応する定着温度160〜170℃になるよう定着ユニット223の温度を制御する。その結果、ユーザが装填した用紙種類に適した定着温度で印刷を行うことが可能となる。そして非純正品トナーカートリッジ使用時の、用紙種類の不一致に起因する定着不良の発生を防止し、プリンタ101の故障を招く可能性を軽減することが可能となる。
【実施例２】
【００５５】
上記実施例１では、プリンタ101に非純正品が装着されている場合、用紙種類検知機能設定がオンかオフを判別し、オフの場合には、ユーザに対し、用紙種類検知機能がオフであることを通知し、用紙種類検知機能をオンに設定するよう促すものであった。実施例２では、プリンタ101に非純正品が装着されている場合、プリンタ101が、用紙種類検知機能設定状態（オン／オフ）にかかわらず、ユーザに対し、用紙種類検知機能をオンに設定するよう促すように構成する。以下、実施例２について説明する。なお実施例１と同一の構成については説明を省略する。
【００５６】
以下、図７を用いて、実施例２のプリンタ101の処理について説明する。
図７は、実施例２のプリンタ101のトナーカートリッジの検知処理の一例を示すフローチャートである。なお、このフローチャートに示す処理は、ＣＰＵ103がＲＯＭ104に記憶された制御プログラムを実行することにより実現される。このフローチャートの処理は、例えばプリンタ101の電源オンの際、省電力モードからの復帰の際、トナーカートリッジが取り外された際等に実行されるものとする。
【００５７】
コントローラ102のＣＰＵ103は、S701〜S702の処理において、前述した図４におけるS401〜S402と同様の処理を行う。従って、S701〜S702の処理の詳細説明は省略し、実施例１に対して差異のある処理を中心に以下説明を行う。
なお実施例２では、S702において、ＣＰＵ103は、プリントエンジン111に装着されたトナーカートリッジ215が純正品でない（非純正品）と判定した場合（S702でNoの場合）、S703に処理を進める。
【００５８】
S703において、ＣＰＵ103は、操作部110の表示パネル（図示省略）に用紙種類検知機能をオンに設定するよう促すメッセージを表示し、本フローチャートの処理を終了する。
【００５９】
上記S703で表示するメッセージの一例としては、図５における「用紙種類検知機能をオンにすることを推奨します。」という部分がそれに相当する。前記メッセージによって、非純正品のトナーカートリッジを使用しているユーザに対し、用紙種類検知機能オンでプリンタ101を使用するよう注意喚起することが可能となる。そして非純正品トナーカートリッジ使用時の、用紙種類の不一致に起因する定着不良の発生を防止し、プリンタ101の故障を招く危険性を軽減することが可能となる。
【実施例３】
【００６０】
上記実施例１、２では、プリンタ101がユーザに対し用紙種類検知機能のオン／オフ設定に関する通知を行うものであった。本実施例３では、プリンタ101自身が用紙種類検知機能のオン／オフ設定を制御する構成について説明する。以下、実施例３について説明する。なお実施例１、２と同一の構成については説明を省略する。
【００６１】
以下、図８を用いて、実施例３のプリンタ101の処理について説明する。
図８は、実施例３のプリンタ101のトナーカートリッジの検知処理の一例を示すフローチャートである。なお、このフローチャートに示す処理は、ＣＰＵ103がＲＯＭ104に記憶された制御プログラムを実行することにより実現される。このフローチャートの処理は、例えばプリンタ101の電源オンの際、省電力モードからの復帰の際、トナーカートリッジが取り外された際等に実行されるものとする。
図９は、実施例３において操作部110に表示される所定メッセージの一例を示す図である。
【００６２】
コントローラ102のＣＰＵ103は、S701〜S702の処理において、前述した図４におけるS401〜S402と同様の処理を行う。従って、S701〜S702の処理の詳細説明は省略し、実施例１、２に対して差異のある処理を中心に以下説明を行う。
【００６３】
なお実施例３では、S803において、ＣＰＵ103は、用紙種類検知機能の設定がオンであると判定した場合（S803でYesの場合）、S804に処理を進める。
S804において、ＣＰＵ103は、用紙種類検知機能のオフ設定を禁止する処理を行う（オフ設定禁止処理）。このオフ設定禁止処理は、操作部110からユーザが用紙種類検知機能をオフに設定変更できないようにする処理である。図示は省略するが、前記オフ設定禁止処理は、ＣＰＵ103の制御により、操作部110に用紙種類検知機能オン／オフ関連の設定メニュー（図示省略）が表示されないようにするものである。あるいは、ＣＰＵ103の制御により、操作部110に用紙種類検知機能オフの選択ボタン（図示省略）をユーザが選択できないように、グレイアウト表示をする形態であってもよい。
S804の処理の後、ＣＰＵ103は、本フローチャートの処理を終了する。
【００６４】
また、上記S803において、ＣＰＵ103は、用紙種類検知機能の設定がオフであると判定した場合（S803でNoの場合）、S805に処理を進める。
S805において、ＣＰＵ103は、用紙種類検知機能をオフからオンに設定変更する処理を行う。具体的には、ＣＰＵ103は、ＲＯＭ104に格納されている用紙種類検知機能のオン／オフの設定情報をオフからオンに変更する。
【００６５】
次にS806において、ＣＰＵ103は、操作部110の表示パネル（図示省略）に用紙種類検知機能をオフからオンに設定変更したことを通知するメッセージを表示する。前記メッセージの一例を図９に示す。
【００６６】
図９に示すような、「用紙種類検知機能をオンに変更しました。」というメッセージによって、ユーザに対し、プリンタ101の用紙種類検知機能がオンに変更されたことを通知可能となる。以降プリンタ101は、上記S805においてオンに変更されたＲＯＭ104上の用紙種類検知機能の設定情報に従って動作する。そして印刷時には、プリンタ101はメディアセンサ225による用紙種類検知を実行する。
S806の処理の後、ＣＰＵ103は、本フローチャートの処理を終了する。
【００６７】
以上のように、プリントエンジン111に装着されたトナーカートリッジ215が非純正品であり、用紙種類検知機能がオン設定の場合、コントローラ102のＣＰＵ103は、用紙種類検知機能のオフ設定を禁止する処理を行う。また、プリントエンジン111に装着されたトナーカートリッジ215が非純正品であり、用紙種類検知機能がオフ設定の場合、ＣＰＵ103は、用紙種類検知機能をオフからオンに変更し、前記変更をユーザに通知する。このような構成により、ユーザは、非純正品のトナーカートリッジが装着されたプリンタ101を、用紙種類検知機能オンの状態で使用することが可能となる。その結果、実施例１、２と同様に、非純正品のトナーカートリッジ使用時、用紙種類の不一致に起因する定着不良の発生を防止し、プリンタ101の故障を招く危険性を軽減することが可能となる。
【００６８】
上記各実施例では、消耗品の一例としてトナーカートリッジを用いて説明したが、消耗品はトナーカートリッジに限定されるものではなく、他の消耗品でも同様に本発明を適用可能である。例えば消耗品は、インクジェット式プリンタにおけるインクカートリッジやインクカートリッジに装填されたインク等であってもよい。
【００６９】
以上、各実施例によれば、トナーカートリッジ等の消耗品について、メーカー純正品でない消耗品（非純正品）の使用時におけるトラブル（画像形成不良、動作不良、故障等）の発生を抑えることができる
【００７０】
なお、上述した各種データの構成及びその内容はこれに限定されるものではなく、用途や目的に応じて、様々な構成や内容で構成されていてもよい。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００７１】
（その他の実施例）
本発明は、上述の実施例の1以上の機能を実現するプログラムを、ネットワーク又は記憶媒体を介してシステム又は装置に供給し、そのシステム又は装置のコンピュータにおける1つ以上のプロセッサーがプログラムを読出し実行する処理でも実現可能である。また、1以上の機能を実現する回路（例えば、ＡＳＩＣ）によっても実現可能である。
また、本発明は、複数の機器から構成されるシステムに適用しても、1つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００７２】
101    プリンタ
102    コントローラ
110    操作部
111    プリントエンジン
215    トナーカートリッジ
216    メモリタグ
225    メディアセンサ
226    エンジンコントローラ
【図１】
2019030986.tif 000003
【図２】
2019030986.tif 000004
【図３】
2019030986.tif 000005
【図４】
2019030986.tif 000006
【図５】
2019030986.tif 000007
【図６】
2019030986.tif 000008
【図７】
2019030986.tif 000009
【図８】
2019030986.tif 000010
【図９】
2019030986.tif 000011